(57)【要約】  実験室試料分配システム用の試料容器搬送具（１０）であって、試料容器搬送具（１０）は、試料容器搬送具に加えられる磁気移動力が、傾斜度によって決まるように配置される磁気要素（２０）を備える、試料容器搬送具（１０）。そのような試料容器搬送具（１０）を備える実験室試料分配システム（１００）、およびそのような試料分配システムを備える実験室自動化システム（５）。【選択図】図１
2018520344.tif 000002
【特許請求の範囲】
【請求項１】
実験室試料分配システム（１００）用の試料容器搬送具（１０）であって、
前記試料容器搬送具（１０）が、１つまたは複数の試料容器（１２）を運ぶように適合されており、
前記試料容器搬送具（１０）が、前記実験室試料分配システム（１００）の水平な運搬平面（１１０）の上で移動させられるように適合されており、
前記試料容器搬送具（１０）が、磁気要素（２０）を備え、磁気移動力が、前記試料容器搬送具（１０）に加えられるように、前記磁気要素（２０）が、前記実験室試料分配システム（１００）の手段（１２０）によって生成された磁場と相互作用するように適合されており、
前記磁気要素（２０）が、前記磁気移動力が、前記運搬平面（１１０）上に設置されている前記試料容器搬送具（１０）の傾斜度によって決まるように配置される、試料容器搬送具（１０）。
【請求項２】
前記磁気要素（２０）が、特に永久磁石の形態をした磁気的活性デバイス（３０）を備え、
前記磁気的活性デバイス（３０）が、正多角形の水平断面、好ましくは矩形断面を有することを特徴とする、請求項１に記載の試料容器搬送具（１０）。
【請求項３】
前記磁気要素（２０）が、強磁性またはフェリ磁性案内デバイス（４０）を備えることを特徴とする、請求項１または２に記載の試料容器搬送具（１０）。
【請求項４】
前記案内デバイス（４０）が、前記磁気的活性デバイス（３０）を少なくとも部分的に被覆するカバーとして形成されることを特徴とする、請求項３に記載の試料容器搬送具（１０）。
【請求項５】
前記案内デバイス（４０）が、好ましくはアーム（４２、４４、４６、４８）として具現化される、いくつかのセクタを備える水平断面を有し、
前記セクタが、相互に離れており、それぞれ、前記案内デバイス（４０）の共通の中心部分（４１）から出ていることを特徴とする、請求項４に記載の試料容器搬送具（１０）。
【請求項６】
前記セクタが、十字を形成するように配置される、請求項５に記載の試料容器搬送具（１０）。
【請求項７】
前記試料容器搬送具（１０）が、摺動部材（５０）を備え、前記試料容器搬送具（１０）が、前記運搬平面（１１０）上に設置される場合、前記摺動部材（５０）が、前記運搬平面（１１０）と接触するように適合されていることを特徴とする、請求項１から６のいずれか一項に記載の試料容器搬送具（１０）。
【請求項８】
前記摺動部材（５０）が、中心部分（５１）から延びるいくつかのアーム（５２、５４、５６、５８）を備える水平断面を有し、前記摺動部材（５０）が、前記アーム（５２、５４、５６、５８）の間に凹形の水平断面を有することを特徴とする、請求項７に記載の試料容器搬送具（１０）。
【請求項９】
前記摺動部材（５０）が、いくつかの下縁部（７０）を備え、前記摺動部材（５０）の部分を取り囲んでいる前記下縁部（７０）が、前記運搬平面（１１０）と接触するように適合されており、
前記下縁部（７０）が、少なくとも部分的に斜角がつけられていることを特徴とする、請求項７または８に記載の試料容器搬送具（１０）。
【請求項１０】
前記摺動部材（５０）が、中央に位置する凹所（６０）を有し、前記凹所（６０）において前記摺動部材（５０）は前記運搬平面（１１０）と接触せず、
前記凹所（６０）が、前記運搬平面（１１０）と接触するように適合されている前記摺動部材（５０）の部分によって取り囲まれていることを特徴とする、請求項７から９のいずれか一項に記載の試料容器搬送具（１０）。
【請求項１１】
請求項１から１０のいずれか一項に記載の、いくつかの試料容器搬送具（１０）と、
前記試料容器搬送具（１０）を支持するように適合されている運搬平面（１１０）と、
前記運搬平面（１１０）より下に固定して配置されるいくつかの電磁アクチュエータ（１２０）であって、前記試料容器搬送具（１０）を前記運搬平面（１１０）の上部上で移動させるために磁場を生成するように適合されている電磁アクチュエータ（１２０）と、
前記試料容器搬送具（１０）が、対応する運搬路に沿って移動するように、前記電磁アクチュエータ（１２０）を駆動することによって、前記運搬平面（１１０）の上部上での前記試料容器搬送具（１０）の前記移動を制御するように構成されている制御デバイス（１５０）とを備える、実験室試料分配システム（１００）。
【請求項１２】
前記電磁アクチュエータ（１２０）、特にそれぞれの磁気コイル（１２０）、および／または磁気コア（１２５）が、正多角形の水平断面、好ましくは矩形断面を有することを特徴とする、請求項１１に記載の実験室試料分配システム（１００）。
【請求項１３】
好ましくは分析前ステーション、分析ステーション、および／または分析後ステーションの形態をしたいくつかの実験室ステーション（６、７）と、
試料容器搬送具（１０）および／または試料容器（１２）を前記実験室ステーション（５、６）の間で分配するように適合された、請求項１１または１２に記載の実験室試料分配システム（１００）とを備える、実験室自動化システム（５）。
【発明の詳細な説明】
【技術分野】
【０００１】
本発明は、実験室試料分配システム用の試料容器搬送具と、そのような試料容器搬送具を備える実験室試料分配システムと、そのような実験室試料分配システムを備える実験室自動化システムとに関する。
【背景技術】
【０００２】
試料容器搬送具を備える実験室試料分配システムは通常、実験室自動化システムで使用される。そのような実験室自動化システムは、分析前ステーション、分析ステーション、および／または、分析後ステーションのような実験室ステーションを備える場合がある。
【０００３】
そのような実験室試料分配システムに関する例は、国際公開第２０１１／１３８４４８Ａ１号に開示されている。実験室試料分配システムは、運搬平面および運搬平面の下に置かれる複数の電磁アクチュエータを備える。実験室試料分配システムは、試料容器を運ぶように適合されているいくつかの試料容器搬送具をさらに備える。そのような試料容器は、例えば、透明材料でできた管である場合もある。
【発明の概要】
【発明が解決しようとする課題】
【０００４】
本発明の目的は、改良された移動特性を有する試料容器搬送具を提供することである。さらなる目的は、実験室試料分配システムを提供すること、およびそのような試料容器搬送具を備える実験室自動化システムを提供することである。
【課題を解決するための手段】
【０００５】
これらの課題は、請求項１に記載の試料容器搬送具と、請求項１１に記載の実験室試料分配システムと、請求項１３に記載の実験室自動化システムとによって解決される。
本発明は、実験室試料分配システム用の試料容器搬送具に関する。
【０００６】
試料容器搬送具は、例えば従来型の試料管の形態をした、１つまたは複数の試料容器を運ぶように適合されている。
試料容器搬送具は、実験室試料分配システムの水平な運搬平面の上で移動させられるように適合されている。試料容器搬送具は、磁気要素を備え、磁気移動力が、試料容器搬送具に加えられるように、磁気要素は、実験室試料分配システムによって生成された磁場と相互作用するように適合されている。
【０００７】
磁気要素は、磁気移動力、例えば磁気移動力の量および／または角度が、運搬平面の上に設置されている、または運搬平面の上で移動させられる試料容器搬送具の傾斜度によって決まるように配置される。
【０００８】
発明の試料容器搬送具によって、試料容器搬送具に好ましい方向をもたらすことが可能である。好ましい方向にしないで試料容器搬送具を使用する従来技術と比較して、試料容器搬送具の不随意回転のような作用は、防止され得る。このことにより、例えばエネルギーを節約すること、および移動を安定させることができる。
【０００９】
磁気移動力が傾斜度によって決まるという表現は、磁気移動力、例えば磁気移動力の量が、外部磁場に対する試料容器搬送具の方向付けによって決まるということを含意することができる。例えば、試料容器搬送具が、垂直軸を中心に特定の量だけ回転する場合、試料容器搬送具が同じ位置で観察されても、磁気移動力は、別の量を有する場合がある、または別の方向を指す場合がある。
【００１０】
実施形態によれば、磁気要素は、特に永久磁石の形態をした磁気的活性デバイスを備える。磁気的活性デバイスは、正多角形の水平断面を有することができる。好ましくは、磁気的活性デバイスは、矩形断面を有する。
【００１１】
そのような磁気要素によって、好ましい方向が、磁気的活性デバイスによって生成された磁場にもたらされ得る。そのような場合の磁気移動力は、通常、それぞれの好ましい方向と外部磁場との間の角度によって決まるので、このことは、磁気移動力の傾斜度への依存を確認することができる。例えば、磁気的活性デバイスによって生成された磁場が特に高い量を有する好ましい方向は、多角形の辺に垂直である場合がある。
【００１２】
実施形態によれば、磁気要素は、強磁性またはフェリ磁性の案内デバイスを備える。例えば、案内デバイスは、強磁性またはフェリ磁性の材料でできている、または備えることができる。
【００１３】
案内デバイスは、磁気的活性デバイスを少なくとも部分的に、または完全に被覆するカバーとして形成される場合もある。このことは、そのようなカバーを使用して磁気的活性デバイスによって生成された磁場の好ましい方向を容易に実装するために使用されることができる。
【００１４】
本明細書で使用されるような意味の案内デバイスは、磁力線用の案内デバイスであることを、理解されたい。例えば、そのような案内デバイスは、好ましい方向をもたらすことができる、またはそうではなく、そのような案内デバイスなしに存在し得る状態から磁気的活性デバイスによって生成された磁場を偏向させることができる。
【００１５】
実施形態によれば、案内デバイスは、好ましくはアームとして具現化される、いくつかのセクタを含む水平断面を有し、セクタは、相互に離れており、それぞれ、案内デバイスの共通の中心部分から出ている。これらのセクタは、例えば、磁気的活性デバイスによって生成された磁場を案内するために使用されることができる。例えば、それぞれのセクタは、好ましい方向に対応することができる。セクタは、十字を形成するように配置され得る。このことは、例えば、それらの間にそれぞれ９０度を有する４つの好ましい方向をもたらすために使用されることができる。
【００１６】
案内デバイスは、１より大きい、好ましくは１０より大きく、好ましくは１００より大きく、好ましくは１，０００より大きく、さらに好ましくは１０，０００より大きい、相対透磁率μｒを有する材料でできている、またはそのような材料を備えることができる。
【００１７】
案内デバイスは、好ましくは建築用鋼材である、磁気的に柔軟な材料でできている、またはその材料を備えることができる。この材料は、使用目的に適した特性を示すことが判明しており、安価で、入手し易い。
【００１８】
実施形態によれば、案内デバイスは、磁気的活性デバイスより上に置かれる板を備え、板は、好ましくは磁気的活性デバイスを越えて側方に延びている。
実施形態によれば、案内デバイスの側方を取り囲んでいる部分は、磁気的活性デバイスから離れている。
【００１９】
実施形態によれば、案内デバイスの側方を取り囲んでいる部分および／または磁気的活性デバイスより上に置かれる案内デバイスの部分は、磁気的活性デバイスによって誘導される代表的な磁場で磁気飽和を防止するように適合された厚さを有する。そのような代表的な磁場は、例えば、約０．７Ｔの値を有することができる。飽和は、意図されるように磁力線を曲げる、または案内する案内デバイスの能力低下につながることになる。
【００２０】
磁気的活性デバイスより上に置かれている案内デバイスの部分は、磁気的活性デバイスに少なくとも部分的に当接することができる。案内デバイスは、磁気的活性デバイスの上にかけられたキャップの形態を有することができる。案内デバイスおよび磁気的活性デバイスは一緒に、キノコの形を有することができ、磁気的活性デバイスは、柱を構成する。そのような実装は、代表的な用途に有用であることが判明している。
【００２１】
実施形態によれば、試料容器搬送具は、摺動部材を備えて、試料容器搬送具が、運搬平面上に設置される場合、摺動部材は、運搬平面と接触するように適合されている。そのような摺動部材は、例えば、運搬平面と試料容器搬送具との間の摩擦に適合するために使用され得る。
【００２２】
摺動部材は、中心部分から延びるいくつかのアームを備える水平断面を有することができ、摺動部材は、アームの間に凹形の水平断面を有することができる。そのような構成は、運搬平面の縁部または段に沿って駆動するとき、特に試料容器搬送具の安定性を増すことができる。
【００２３】
案内デバイスおよび摺動部材は、空胴を画定することができ、磁気的活性デバイスは、空胴内部に配置される。案内デバイスは、摺動部材の方向に開口を有することができ、案内デバイスは、磁気的活性デバイスの側方を少なくとも部分的に取り囲んでいることができる。実施態様によれば、案内デバイスは、磁気的活性デバイスを完全に取り囲んでいることができる。
【００２４】
実施形態によれば、摺動部材はいくつかの下縁部または境界部を備え、摺動部材の部分を取り囲んでいる下縁部は、運搬平面と接触するように適合されている。下縁部は、少なくとも部分的に斜角がつけられている。下縁部のベベリングは、中心から摺動部材の水平な外側部分まで増大され得る。そのような実施形態は、試料容器搬送具が、運搬平面の段を通過しなければならない場合に特に適していることが判明している。
【００２５】
実施形態によれば、摺動部材は、運搬平面と接触しない、中心に位置する凹所を有する。凹所は、運搬平面と接触するように適合されている摺動部材の部分によって取り囲まれていることができる。そのような実施形態は、試料容器搬送具と運搬平面との間の摩擦を減らし、移動の間、試料容器搬送具を安定させるのに有用であることが判明している。
【００２６】
本発明は、さらに、実験室試料分配システムに関する。実験室試料分配システムは、本発明によるいくつかの試料容器搬送具を備える。試料容器搬送具に関しては、検討している実施態様、変型例、および実施形態の全てを使用することができる。
【００２７】
実験室試料分配システムは、試料容器搬送具を支持するように適合されている運搬平面をさらに備える。
実験室試料分配システムは、運搬平面より下に固定して配置されるいくつかの電磁アクチュエータをさらに備え、電磁アクチュエータは、試料容器搬送具を運搬平面の上部上で移動させるために磁場を生成するように適合されている。
【００２８】
実験室試料分配システムは、試料容器搬送具が、対応する運搬路に沿って移動するように、電磁アクチュエータを駆動することによって、運搬平面の上部上での試料容器搬送具の移動を制御するように構成されている制御デバイスをさらに備える。
【００２９】
例えば、実験室試料分配システムは、１から５００までの数の試料容器搬送具を備えることができる。実験室試料分配システムは、４から１０２４までの数の電磁アクチュエータを同様に備えることができる。運搬平面は、運搬面として示される場合もある。試料容器搬送具を支持することは、試料容器搬送具を運ぶこととして示される場合もある。実験室試料分配システムの電磁アクチュエータは、運搬平面の上で試料容器搬送具を駆動する磁場を生成するために使用され得る。試料容器搬送具は、２次元で移動させられることができ、試料容器搬送具を例えば実験室ステーションの間で運搬するとき、融通性を高めることが可能である。代表的な実施態様における電磁アクチュエータの間の距離は、２０ｍｍまたは約２０ｍｍである。
【００３０】
実施形態によると、電磁アクチュエータ、特にそれぞれの磁気コイルおよび／または磁気コアは、正多角形の水平断面を有する。好ましくは、それらは、矩形断面を有している。そのような構成は、電磁アクチュエータによって生成された磁場に好ましい方向をもたらすために使用されることができる。そのような構成は、試料容器搬送具の運搬平面上での移動を特定の方向付けまたは方向に沿うようにさらに導くために、特に使用され得る。
【００３１】
運搬平面は、電気伝導性材料でできていることができ、接地され得る。強磁性またはフェリ磁性案内デバイスはさらに、電気伝導性材料、例えば鋼鉄などで形成されることもできる。案内デバイスは、キャップ形状または鐘形状を有することができる。キャップまたは鐘の開口を画定する、案内デバイスの下側端部は、試料容器搬送具が運搬平面上に設置される場合、運搬平面と直接接触しているように適合され得る。案内デバイスおよび運搬平面は、試料容器搬送具が運搬平面上に設置される場合、空胴を画定する。磁気要素は、空胴内部に配置されることができる。磁気要素は、案内デバイスの上端部で案内デバイスに固定されることができる。案内デバイスは、例えば案内デバイスの上端部に設置されている、試料容器用の保持手段を備えることができる。保持手段は、例えば円形断面を有する、試料容器を受容するように適合された、例えば止まり穴として具現化されることができる。この実施形態は、試料容器搬送具が運搬平面の上で移動するとき、運搬平面の静電帯電、および試料容器搬送具の静電帯電を防止する。
【００３２】
本発明は、さらに、いくつかの分析前ステーション、分析ステーション、および／または分析後（実験室）ステーションを備える実験室自動化システムと、実験室ステーションの間で試料容器搬送具および／または試料容器を運搬するように適合された、上に記載された実験室試料分配システムとに関する。実験室ステーションは、実験室試料分配システムに隣接して配置されることができる。
【００３３】
分析前ステーションは、試料、試料容器、および／または試料容器搬送具の任意の種類の前処理を行うように適合されていることができる。
分析ステーションは、試料または試料の部分、および測定信号を発生させる試薬を使用するように適合されていることができ、測定信号は、分析物が存在しているかどうか、もしあるとすれば存在している濃度を示す。
【００３４】
分析後ステーションは、試料、試料容器、および／または試料容器搬送具の任意の種類の後処理を行うように適合されていることができる。
分析前ステーション、分析ステーション、および／または分析後ステーションは、キャップ除去ステーション、キャップ再取付ステーション、分取ステーション、遠心分離ステーション、所定期間保存ステーション、ピペット操作ステーション、選別ステーション、管タイプ確認ステーション、および試料品質決定ステーションの少なくとも１つを備えることができる。
【００３５】
次に、本発明を、概略図面に関して詳細に説明してゆく。
【図面の簡単な説明】
【００３６】
【図１】試料容器の一部を示す図である。
【図２】異なる観点で図１の部分を示す図である。
【図３】図１および図２の部分を備える試料容器を示す図である。
【図４】実験室試料分配システムを示す図である。
【図５】段での試料容器の摺動部材を示す図である。
【図６】別の実施形態による試料容器を示す図である。
【発明を実施するための形態】
【００３７】
図１は、試料容器搬送具１０の一部を示す。詳細には、図１は、試料容器搬送具１０の底部分、すなわち底板１５の真下および真上に配置された試料容器搬送具１０の要素を示す。
【００３８】
底板１５上には、磁気要素２０が、配置される。磁気要素２０は、永久磁石３０の形態の磁気的活性デバイスを備える。永久磁石３０は、矩形水平断面を有する。
磁気要素２０は、永久磁石３０の上にかけられた案内デバイス４０をさらに備える。案内デバイス４０は、第１のアーム４２、第２のアーム４４、第３のアーム４６、および第４のアーム４８を備える。案内デバイス４０は、磁気的高透磁性材料でできている。
【００３９】
アーム４２、４４、４６、４８を有する案内デバイス４０および特定の形状の永久磁石３０によって、結果的に生じる磁場は、４つの好ましい方向、すなわち、第１のアーム４２に沿って方向付けられた第１の好ましい方向３２、第２のアーム４４に沿って方向付けられた第２の好ましい方向３４、第３のアーム４６に沿って方向付けられた第３の好ましい方向３６、および第４のアーム４８に沿って方向付けられた第４の好ましい方向３８が引き起こされるように、特異的に調整される。これらの好ましい方向は、試料容器搬送具１０に加えられる磁気移動力は、外部磁場が存在する時、傾斜度、すなわち試料容器搬送具１０の角度的な方向付けによって決まるという効果を提供する。
【００４０】
図１に描写されるように、案内デバイスのアーム４２、４４、４６、４８は、十字を形成するように配置される全部で４つのセクタを形成するように配置される。換言すれば、アーム４２、４４、４６、４８の間の、またはこれらのアーム４２、４４、４６、４８によって画定されるセクタの間のそれぞれの角度は、それぞれ９０度の値を有する。アームまたはセクタの間の角度は通常、アームまたはセクタのそれぞれの際立った方向、例えば中心および／または対称軸を画定する方向の間の角度として画定されることに留意されたい。
【００４１】
アーム４２、４４、４６、４８はそれぞれ、案内デバイス４０の共通の中心部分４１から出ている。この中心部分４１は、永久磁石３０と部分的に重なっている。そのような構成によって、案内デバイス４０は、永久磁石３０の上にかけられたキャップの形態を有する。
【００４２】
底板１５の他の側には、摺動部材５０が、配置される。この摺動部材５０は、図１で見えているのは、非常に少ない部分にすぎず、図２を参照しながらさらに説明してゆく。
図２は、別の観点から図１の試料容器搬送具１０の部分を示す。詳細には、試料容器搬送具１０の底側が、示される。
【００４３】
摺動部材５０は、十字を形成するように、間に９０度の水平角を備えて配置される４つのアーム５２、５４、５６、５８を備える。アーム５２、５４、５６、５８はそれぞれ、内側部分５１からそれぞれの外側部分まで先細になっている断面を有し、外側部分は、丸い。特に、３つのアーム５２、５４、５６、５８のうちの２つが、試料容器搬送具１０が移動している運搬平面に形成された段の上側に置かれるそうした場合には、この構成は、試料容器搬送具１０の安定性を強化する。詳細には、アームのうちの２つが、上側部分上にあり、アームのうちの２つが、下側部分上にあるような場合には、結果的に、試料容器搬送具１０は、傾斜する危険性なく移動することができることが容易に認識され得る。
【００４４】
試料容器搬送具１０が、運搬平面に形成された段の上に上ることを容易にするために、アーム５２、５４、５６、５８のそれぞれの下縁部７０には、斜角がつけられており、ベベリングは、中心部分５１からアーム５２、５４、５６、５８のそれぞれの外側部分にかけて大きくなっている。そのようなベベリングによって、試料容器搬送具１０が移動している運搬平面の段は、結果として、試料容器搬送具１０が、段に当たってはね返らないように、試料容器搬送具１０が、円滑に上がることができるようになっている。
【００４５】
摺動部材５０の中心には、凹所６０が、位置付けられている。凹所６０は、試料容器搬送具１０が、運搬平面上で移動しているときに運搬平面と接触している、摺動部材５０の部分によって取り囲まれているが、摺動部材５０と運搬平面との間の総接触面積を減らしている。したがって、摩擦は低減され、このことは、エネルギー消費にプラスの効果を有する。
【００４６】
図３は、完全な試料容器搬送具１０を斜視図で示す。試料容器搬送具１０は、下側端部に床板１５を備え、床板１５の下に摺動部材５０が置かれている。このことにより、試料容器搬送具１０が試料分配システムの運搬平面上で移動することが可能になる。
【００４７】
試料容器搬送具１０は、床板１５の上に置かれる本体１７を備える。本体１７の中には、試料容器保持手段１８が、配置される。試料容器保持手段１８は、試料容器を設置することができて、保持することができる穴として具現化されている。
【００４８】
図４は、試料分配システム１００を有する実験室自動化システム５を示す。
実験室自動化システム５は、第１の実験室ステーション６および第２の実験室ステーション７を備える。これらは、例証目的で示しているにすぎない。代表的な実験室自動化システム５は、試料分配システム１００が、試料または試料容器を実験室ステーション６、７の間で運搬するために使用され得るように、試料分配システム１００に加えて配置される複数の実験室ステーションを備えることに留意されたい。
【００４９】
実験室試料分配システム１００は、試料容器搬送具１０が、その上で移動することができる運搬平面１１０を備える。単なる例証目的で、図３に記載の単一の試料容器搬送具１０が、運搬平面１１０上に示されている。試料容器搬送具１０は、従来型の実験室管として具現化される試料容器１２を含む。代表的な試料分配システム１００上には、それぞれの試料容器を運んでいる複数の試料容器搬送具が、配置されることに留意されたい。
【００５０】
試料分配システム１００は、それぞれの磁気コア１２５を備えたコイルとして具現化されたいくつかの電磁アクチュエータ１２０をさらに備える。電磁アクチュエータ１２０およびコア１２５は共に、水平平面に矩形十字形状を有する。したがって、それらは、矩形断面の縁部に垂直なそれぞれの好ましい方向を有する磁場を生成する。この手段は、試料容器搬送具１０を特異的な経路に沿って案内するのに役立つ。
【００５１】
運搬平面１１０上には、それぞれの試料容器搬送具１０の永久磁石３０によって生成された磁場を感知することによって、試料容器搬送具１０の位置を感知するように適合される複数の位置センサ１３０が、配置される。試料分配システム１００は、電子制御装置１５０をさらに備える。電子制御装置１５０は、電磁アクチュエータ１２０を制御して、位置センサ１３０から信号を受信するように適合されている。したがって、制御装置１５０は、電磁アクチュエータ１２０を使用して、試料容器搬送具１０を能動的に移動させることができる。さらに、制御装置１５０は、位置センサ１３０を使用して、試料容器搬送具１０の位置を感知することができる。この機能性を使用することにより、電子制御装置１５０は、それぞれの試料容器搬送具１０を所定の運搬路に沿って移動させることができる。
【００５２】
電子制御装置１５０は、一般的に、プロセッサ手段およびメモリ手段を備えることができ、メモリ手段は、実行されると、プロセッサ手段を、特定の方法で機能させる、例えば試料容器搬送具１０の位置を感知する、および／または試料容器搬送具１０を運搬路に沿って移動させる、プログラムコードを備えることに留意されたい。
【００５３】
実験室試料分配システム５によって、試料または試料容器を実験室ステーション６、７の間で運搬する作業が、行われることができ、試料容器搬送具１０の回転は、試料容器搬送具１０およびそれぞれのコア１２５を備えた電磁アクチュエータ１２０の両方の好ましい方向によって、防止されることができる。このことは、エネルギーを節約し、結果として、システムスループットを改良することができるより直線的な運搬路をもたらす。
【００５４】
図５は、運搬平面１１０が段１１０ｃを含む場合の、運搬平面１１０を示す。段１１０ｃの左側に、運搬平面１１０の下側部分１１０ａがある。段１１０ｃの右側に、運搬平面１１０の上側部分１１０ｂがある。単なる例証目的で、運搬平面１１０は、図５では、電磁アクチュエータ１２０、磁気コア１２５、および位置センサ１３０なしで示されている。
【００５５】
図５に示される段１１０ｃは、例えば、試料分配システム１１０の２つのモジュールが相互に隣接するある線で生じる場合があることに留意されたい。
摺動部材５０の有利な構成を図示するために、図２の摺動部材５０は、試料容器搬送具１０の残りの部分のない状態で、単独に、概略的に示されている。描写されるように、第１のアーム５２および第２のアーム５４は、運搬平面１１０の上側部分１１０ｂ上に延びており、一方で、第３のアーム５６および第４のアーム５８は、運搬平面１１０の下側部分１１０ａの上にとどまっている。しかしながら、摺動部材５０は、依然として４つの地点で運搬平面１１０と接触したままであり、したがって、円形摺動部材５０が使用されるときに生じる可能性のある傾き、または何らかの他の不安定性を防止している。
【００５６】
図６は、別の実施形態による試料容器搬送具１０’を断面図で示す。
試料容器搬送具１０’は、永久磁石３０の形態の磁気的活性デバイスと、電気伝導性材料、例えば鉄鋼で形成された鐘形状案内デバイス４０’とを備える。案内デバイス４０’の開口を画定する案内デバイス４０’の下側部分４９は、試料容器搬送具１０’が運搬平面１１０上に設置される場合、運搬平面１１０と直接接触するように適合されている。案内デバイス４０’および運搬平面１１０は、試料容器搬送具１０’が運搬平面１１０上に設置される場合に、空胴を画定する。磁気的活性デバイス３０は、空胴内部に配置される。磁気的活性デバイス３０は、案内デバイス４０’の上端部で案内デバイス４０’に固定される。案内デバイス４０’は、試料容器用の保持手段１８’を備える。保持手段１８’は、円形断面を有し、試料容器を受容するように適合された、案内デバイス４０’の中の止まり穴として具現化される。この実施形態による運搬平面１１０は、電気伝導性材料でできており、接地されている。この実施形態は、試料容器搬送具１０’が、運搬平面１１０の上で移動する場合、運搬平面１１０の静電帯電、および試料容器搬送具１０’の底４９の静電帯電を防止する。
【図１】
2018520344.tif 000003
【図２】
2018520344.tif 000004
【図３】
2018520344.tif 000005
【図４】
2018520344.tif 000006
【図５】
2018520344.tif 000007
【図６】
2018520344.tif 000008
【国際調査報告】
2018520344.tif 000009
2018520344.tif 000010